(57)【要約】【課題】風雨に強く美観の向上を図る袖瓦を提供する。【解決手段】袖部の上端部分の厚さを下端部分の厚さより薄肉化し、袖部の肉厚に傾斜を設けた袖瓦。袖部の突出部が小さくなり、従来品に比べて風雨の抵抗を少なくし、美観の向上を図ることができる。【選択図】　　図２
2004076424.tif 000002
【特許請求の範囲】
【請求項１】
屋根の上面を覆う本体部と該本体部と一体的に構成され該屋根の側面の上端部分を覆う袖部とから構成され、該屋根の傾斜方向に沿って複数枚葺き合わせて使用される袖瓦であって、
前記本体部はその上方端部が上段の袖瓦で覆われる被被覆本体部と下方端部が下段の袖瓦の上方端部を覆う覆被覆本体部とを有し、
前記袖部は、上段側の袖瓦で覆われる、その上端部分が該上端部分から下端方向に延びる部分より薄肉化された薄肉上端袖部となっていることを特徴とする袖瓦。
【請求項２】
前記袖部は前記薄肉上端袖部を含め上端側より下端方向に厚肉化されている請求項１記載の袖瓦。
【請求項３】
前記薄肉上端袖部は上端側より下端側に厚肉化され、該薄肉上端袖部から延びる前記袖部の部分の肉厚は該薄肉上端袖部の下端側の肉厚と同じとなっている請求項１記載の袖瓦。
【請求項４】
前記袖部は、下段側の袖瓦の袖部を収納して覆う、その下端部分は切り欠き空間を有する突出部となっている請求項１〜３記載の袖瓦。
【請求項５】
前記切り欠き空間は前記薄肉上端袖部と実質的に同一である請求項４記載の袖瓦。
【請求項６】
前記突出部の上面は下端側に向かうにつれて肉厚化されている袖部の上面と同じ肉厚化の上面を持つ請求項４記載の袖瓦。
【請求項７】
前記突出部の上面は袖部の上面と曲率半径で１０ｃｍ以上の曲面で繋がる上面を持つ請求項４記載の袖瓦。
【請求項８】
前記突出部の上面はその断面形状で袖部の上面と所定角度で折り曲がった傾斜面となっている請求項４記載の袖瓦。
【請求項９】
前記突出部の上面はその下端側の部分が前記切り欠き空間に近ずく曲面となっている請求項６〜８記載の袖瓦。
【請求項１０】
前記突出部の上面はその下端側の部分が前記屋根の側面と平行な平面となっている請求項６〜８記載の袖瓦。
【請求項１１】
前記本体部は平板状である請求項１記載の袖瓦。
【請求項１２】
前記本体部は波板状である請求項１記載の袖瓦。
【発明の詳細な説明】
【０００１】
【発明の属する技術分野】
本発明は、屋根の側面を葺くのに使われる袖瓦に関するものである。
【０００２】
【従来の技術】
従来の代表的な袖瓦の裏側から見た斜視図を図８に、その袖瓦を２枚葺き合わせた袖部の上下方向の中央断面図を図９に示す。この従来の袖瓦は、屋根の側端部に使用される瓦で、屋根の上面を覆う本体部１とこの本体部１と一体的に構成され屋根の側面の上端部分を覆う袖部２とから構成され、屋根の傾斜方向に沿って複数枚葺き合わせて使用されるものである。
【０００３】
この袖瓦はその本体部１の上方端部が上段の袖瓦で覆われる被被覆本体部５となり下方端部が下段の袖瓦の上方端部を覆う覆被覆本体部６となっている。そして、この袖瓦は、本体部１の側面に袖部２が上端から下端にかけて形成されており、その肉厚は上端側も下端側も同一で全体にわたって均一の厚さとなっている。また、袖部２の下端部分８には、その袖瓦の下段側に葺かれる袖瓦の袖部２の上端部分７を収納して覆うための、切り欠き空間１０を有する断面が弧状の半円柱形状の突出部１１となっている。
【０００４】
また、従来の他の袖瓦のその裏側から見た斜視図を図１０に、その袖瓦を２枚葺き合わせた袖部の上下方向の中央断面図を図１１に示す。この従来の他の袖瓦も、袖部２の厚さがどの部分も同じで図８の袖瓦の袖部と同じである。しかし袖部２の下端部分８が半円柱形ではなく堤形となっている。
【０００５】
【発明が解決しようとする課題】
従来技術は、図９および図１１に示すように上段及び下段の袖瓦を葺き合わせた時、袖部２の下端部分８の外側面にほぼ瓦１枚分の高さの半円柱形あるいは堤形の突出部１１が存在している。
【０００６】
したがって、強い風雨の時には袖瓦の袖部外側面の突出部に吹き上げる力がかかることになる。また袖瓦の袖部に突出している箇所があることは屋根瓦の美観上も好ましいものではないという問題点があった。
【０００７】
そこで、本発明においては、袖瓦の袖部外側面の突出部を小さくするとともに滑らかに形を整えること、あるいは突出部をなくすことにより瓦に加わる風雨の抵抗を少なくすること、および屋根瓦の美観を向上させることを課題としている。
【０００８】
【課題を解決するための手段】
このような課題を解決する本発明の袖瓦は、屋根の上面を覆う本体部と本体部と一体的に構成され、屋根の側面の上端部分を覆う袖部とから構成され、屋根の傾斜方向に沿って複数枚葺き合わせし使用される袖瓦であって、本体部はその上方端部が上段の袖瓦で覆われる被被覆本体部と下方端部が下段の袖瓦の上方端部を覆う覆被覆本体部とを有し、袖部は、上段側の袖瓦で覆われる、その上端部分が上端部分から下端方向に延びる部分より薄肉化された薄肉上端袖部となっていることを特徴としている。
【０００９】
本発明の袖瓦を葺き合わせた時、上段の袖瓦の袖部の切り欠き空間に下段の袖瓦の袖部の薄肉上端袖部が収納されて覆われるが、収納する薄肉上端袖部が薄肉化されているので切り欠き空間の肉厚も薄肉上端袖部に合わせて薄くなり、袖部の外側面に形成される突出部もその突出の度合いを少なくする、あるいは突出部を無くすることが可能となる。
【００１０】
そして、袖瓦の袖部外側面に突出している突出部が小さくなったことにより、突出部に加わる風雨の抵抗が少なくなるという効果がある。また葺き上げた屋根瓦の美観を向上させるという効果もある。
【００１１】
【発明の実施の形態】
本発明の袖瓦は、本体部と袖部とからなり、屋根の傾斜方向に沿って複数枚葺き合わせて使用される。本体部は屋根の側端部の上面を覆う部分であり、袖部は屋根の側面の上端部分を覆う部分である。また、本体部はその上方端部（通常、尻部と称されている部分）が上段の袖瓦で覆われる被被覆本体部と下方端部（通常、頭部と称されている部分）が下段の袖瓦の上方端部を覆う覆被覆本体部とを有している。
【００１２】
本発明の袖瓦の特徴部分はその袖部にあり、その上端部分がその上端部分から下端方向に延びる部分より薄肉化された薄肉上端袖部となっていることを特徴とする。すなわち、葺かれた袖瓦の上段の袖瓦に覆われる部分である薄肉上端端部が他の袖部の部分より薄肉化されている。
【００１３】
この袖部は薄肉上端袖部を含め上端側より下端方向に厚肉化されているものでもよいし、あるいは袖部の薄肉上端袖部が上端側より下端側に厚肉化され、薄肉上端袖部から延びる袖部の部分の肉厚は薄肉上端袖部の下端側の肉厚と同じとなっているものでもよい。
【００１４】
袖部下端部分は、薄肉上端袖部と実質的に同一である切り欠き空間を有する突出部となっているのが好ましい。この突出部は、その上面が下端側に向かうにつれて肉厚化されている袖部の上面と同じ肉厚化の上面を持つものでもよいし、あるいは突出部の上面と曲率半径で１０ｃｍ以上の曲面で繋がる上面を持つものでもよい。あるいは突出部の上面はその断面形状で袖部の上面と所定角度で折り曲がった傾斜面となっていてもよい。
【００１５】
そして、突出部の下端側については、上面はその下端側の部分が切り欠き空間に近ずく曲面となっているものでもよいし、または、突出部の上面はその下端側の部分が屋根の側面と平行な平面となっているものでもよい。
【００１６】
なお、本発明の袖瓦の本体部は平板状であってもよいし、波板状であってもよそい。波は袖瓦１枚に対して１波でも２波でも夫れ以上でも良い。また、袖部は本体部の右側にあっても左側にあっても良い。
【００１７】
【実施例】
以下に本発明の実施例の袖瓦を図面に基づいて説明する。
（実施例１）
本実施例の袖瓦を図１，図２に示す。図１は袖瓦の単瓦を斜め上から見たもの、図２は袖瓦を裏面から見たものである。
【００１８】
本実施例の袖瓦は、屋根を見上げた状態で屋根の右端に葺かれるもので、屋根の右端部の上面を覆う本体部１とその本体部１と一体的に形成され、屋根の右側面の上端部分を覆う袖部２とから構成されている。
【００１９】
本体部１はその上方端部３が上段の袖瓦で覆われる被被覆本体部５と下方端部４が下段の袖瓦の上方端部３を覆う覆被覆本体部６とを有している。また、本体部１の袖部２と反対側の側部は、同一段で左側に葺かれた通常の瓦の左端部を覆う部分である。本体部１の左端部分は斜め下方に湾曲しその左端部分より少し右側の部分が突出した横方向に波形状となっている。
【００２０】
また本体部１の上左隅（被被覆本体部５の左端部分）は欠損部５１となっている。この欠損部５１は葺かれたときの斜め上に葺かれる普通瓦の右下隅部が勘合する。
【００２１】
袖部２は、上方から下方にかけてその肉厚が連続的に厚くなるように形成されている。この袖部２の、上段にある袖瓦の袖部で覆われる、その上端部分７が本発明の薄肉上端袖部９となっている。袖部２の下端は、図２に示すように、本体部１の下端より少し上方に位置し、しかも、袖部２の下端部分はその裏側に薄肉上端袖部９の肉厚と同じ厚さの切り欠き空間１０が形成されている。そして袖部２のこの切り欠き空間１０と背向する下端部分８の表面は、少し膨れ、そこから下端に向かうにつれて内側に湾曲した曲面となっている。また、その下端部分８の厚さは、下端に向かうにつれ薄くなっている。
【００２２】
図３は袖瓦を葺き合わせて上から見た状態を示すもので、袖瓦ａは袖瓦ｂの上段に位置していて袖瓦ａの覆被覆本体部６が下段の袖瓦ｂの被被覆本体部５と重ね合わされ、袖瓦ｂの被被覆本体部５を覆っている。
【００２３】
その時、下段の袖瓦ｂの薄肉上端袖部９は上段の袖瓦ａの切り欠き空間１０に納まり、上段の袖瓦ａの袖部２により抑止される。
【００２４】
図４は、袖瓦ａ及び袖瓦ｂを葺き合わせたときの袖部の断面形状を示すもので袖瓦ａの袖部２の下端側には突出部１１が形成されているが、下段の袖瓦ｂの薄肉上端袖部９が袖部２の下端側の肉厚に比較して５０〜７０％程度に薄肉化されているので切り欠き空間１０の肉厚も薄くなり下端部分８の袖部２上面からの突出度も小さくて済むこととなる。
（実施例２）
本実施例の袖瓦は、実施例１の袖瓦と同じ形状の本体部をもち、袖部のみが異なる。図５は、この実施例の袖瓦の特色部分となる袖部２２の断面形状を示している。袖部２２は薄肉上端袖部２９を含め、上端側より下端方向に順次厚肉化されている。そして、下端部分には薄肉上端袖部２９と同一である切り欠き空間２１０が形成されていて、切り欠き空間２１０の上面は下端方向に順次厚肉化された袖部２２の上面と同じ肉厚となっている。
【００２５】
さらに、切り欠き空間２１０上の突出部２１１上面は曲面で切り欠き空間２１０の先端とつながる構造となっている。
（実施例３）
本実施例の袖瓦は、実施例１及び実施例２の袖瓦と同じ形状の本体部をもち、袖部のみが異なる。図６は、この実施例の袖瓦の特色部分となる袖部３２の断面形状を示している。薄肉上端袖部３９は、上端側より下端側に厚肉化され、薄肉上端袖部３９から延びる袖部３２の部分の肉厚は薄肉上端袖部３９の下端側の肉厚と同じとなっている。
【００２６】
袖部３２の下端部分には、切り欠き空間３１０を有する突出部３１１が形成されていて、その突出部３１１の上面は袖部３２の上面と曲率半径１０ｃｍ以上の曲面で繋がっている。
【００２７】
そして、切り欠き空間３１０上の突出部３１１の上面は曲面で切り欠き空間３１０の先端とつながる構造となっている。
（実施例４）
本実施例の袖瓦は、実施例１、実施例２及び実施例３の袖瓦と同じ形状の本体部をもち、袖部のみが異なる。図７はこの実施例の袖瓦の特色部分となる袖部４２の断面形状を示すもので、薄肉上端袖部４９は、上端側より下端側に厚肉化され、薄肉上端袖部４９から延びる袖部４２の部分の肉厚は薄肉上端袖部４９の下端側の肉厚と同じとなっている。
【００２８】
袖部４２の下端部分には、切り欠き空間４１０が形成されていて、切り欠き空間４１０の上面は突出部４１１が形成されているが、その突出部４１１の上面は袖部４２の上面と所定角度で折り曲がった傾斜面となって繋がっている。また突出部４１１の上面は屋根の側面と平行な平面構造となっている。
【００２９】
そして、突出部４１１の上面と切り欠き空間４１０の先端とは曲面でつながる構造となっている。
【００３０】
【発明の効果】
この発明の効果は次の通りである。
【００３１】
（１）袖部の突出部が小さくなり、または突出部がなくなることにより、強い風雨による葺き合わせた袖瓦に加わるめくれ上げの力が減少する。
【００３２】
（２）袖瓦を葺き合わせたとき、袖部の突出部が小さく、かつ袖部が滑らかにつながるので外観がよくなり屋根瓦の美観上好ましい。
【００３３】
（３）袖部が薄肉化されているので瓦の軽量化に効果がある。
【図面の簡単な説明】
【図１】本発明の袖瓦の表面斜視図である。
【図２】図１の袖瓦の裏面斜視図である。
【図３】本発明の袖瓦を葺き合わせたときの平面図である。
【図４】図３の袖瓦の袖部の断面図である。
【図５】実施例２の袖瓦の袖部の断面図である。
【図６】実施例３の袖瓦の袖部の断面図である。
【図７】実施例４の袖瓦の袖部の断面図である。
【図８】従来の代表的な袖瓦の裏面斜視図である。
【図９】図８の袖瓦を葺き合わせたときの袖部の断面図である。
【図１０】従来の他の袖瓦の裏面斜視図である。
【図１１】図１０の袖瓦を葺き合わせたときの袖部の断面図である。
【符号の説明】
１：本体部　　　　　　　　　　　　　　５１：欠損部
２：袖部
３：上方端部　　　　　　　　　　　　　　　ａ：葺き合わせした上段の袖瓦
４：下方端部　　　　　　　　　　　　　　　ｂ：葺き合わせした下段の袖瓦
５：被被覆本体部
６：覆被覆本体部
７：上端部分
８：下端部分
９：薄肉上端袖部
１０：切り欠き空間
１１：突出部
【図１】
2004076424.tif 000003
【図２】
2004076424.tif 000004
【図３】
2004076424.tif 000005
【図４】
2004076424.tif 000006
【図５】
2004076424.tif 000007
【図６】
2004076424.tif 000008
【図７】
2004076424.tif 000009
【図８】
2004076424.tif 000010
【図９】
2004076424.tif 000011
【図１０】
2004076424.tif 000012
【図１１】
2004076424.tif 000013